(57)【要約】 【課題】  カメラによる撮影時の画角を表示可能な情報処理装置を提供する。【解決手段】  本体情報と、該本体情報に関連付けられた複数の特性値を含む特性情報とを有する電子情報を処理し電子情報に基づいた図形を表示部に表示する制御部を備える情報処理装置である。特性情報は、本体情報を撮影により取得した際の緯度経度に関する第一特性情報と、撮影時の被写体までの距離、後方被写界深度、前方被写界深度及び画角を含む、焦点距離に関する第二特性情報と、撮影時の第一の方向に関する第三特性情報とを含んでいる。制御部は、第一特性情報に対応する位置を中心とし、第二特性情報のうち画角に対応する角度を中心角とし、且つ第三特性情報に対応する第一の方向を対称軸とする扇形領域のうち扇形領域の径方向における後方被写界深度と前方被写界深度との間に挟まれた領域を第一被写体位置領域に設定し、第一被写体位置領域に対応した図形を表示部に表示する。【選択図】        図１
2012247887.tif 000002
【特許請求の範囲】
【請求項１】
本体情報と、該本体情報に関連付けられた複数の特性値を含む特性情報とを有する電子情報を処理し、該電子情報に基づいた図形を表示部に表示する制御部を備える情報処理装置であって、
前記特性情報は、
前記本体情報を撮影により取得した際の緯度経度に関する第一特性情報と、
前記撮影時の被写体までの距離、後方被写界深度、前方被写界深度及び画角を含む第二特性情報と、
前記撮影時の第一の方向に関する第三特性情報とを含み、
前記制御部は、
前記第一特性情報に対応する位置を中心とし、前記第二特性情報のうち画角に対応する角度を中心角とし、且つ、前記第三特性情報に対応する前記第一の方向を対称軸とする扇形領域のうち、
前記扇形領域の径方向における前記後方被写界深度と前記前方被写界深度との間に挟まれた領域を第一被写体位置領域に設定し、該第一被写体位置領域に対応した図形を、前記表示部に表示することを特徴とする情報処理装置。
【請求項２】
請求項１記載の情報処理装置において、
前記制御部は、
前記第一被写体位置領域に対応した前記図形を、該図形に視覚効果を施して、前記表示部に表示することを特徴とする情報処理装置。
【請求項３】
請求項２記載の情報処理装置において、
前記制御部は、
前記扇形領域のうち、該扇形領域の径方向において、前記後方被写界深度よりも遠い領域を第二被写体位置領域に設定し、該第二被写体位置領域に対応した図形を、前記表示部に表示することを特徴とする情報処理装置。
【請求項４】
請求項３記載の情報処理装置において、
前記制御部は、
前記第一被写体位置領域及び第二被写体位置領域に対応した複数の図形を、該複数の図形に視覚効果を施すとともに、前記第一被写体位置領域及び前記第二被写体位置領域のうち一方の領域に対応した図形に、他方の領域に対応した図形に施した視覚効果とは異なる視覚効果を施して、前記表示部に表示することを特徴とする情報処理装置。
【請求項５】
請求項３又は４記載の情報処理装置において、
前記特性情報は、
前記第一の方向とは異なる第二の方向に関する第四特性情報をさらに含み、
前記制御部は、
前記第一特性情報に対応する位置を中心とし、前記第二特性情報のうち画角に対応する角度を中心角とし、且つ、前記第四特性情報に対応する前記第二の方向を対称軸とする領域を、前記扇形領域として設定することを特徴とする情報処理装置。
【請求項６】
請求項３〜５のいずれか一項に記載の情報処理装置において、
前記制御部は、
前記扇形領域のうち該扇形領域の中心から前記第一の方向に前記被写体までの距離だけ移動した点を中心とする円形の領域を第三被写体位置領域に設定し、該第三被写体位置領域に対応した図形を、前記表示部に表示することを特徴とする情報処理装置。
【請求項７】
請求項５又は６記載の情報処理装置において、
前記制御部は、
前記第一乃至第三被写体位置領域に対応した図形を、該複数の図形に視覚効果を施すとともに、前記第一乃至第三被写体位置領域のうちいずれか１つである第一効果付与領域に対応した図形に、残りの被写体位置領域に対応した図形に施した視覚効果とは異なる視覚効果を施して、前記表示部に表示することを特徴とする情報処理装置。
【請求項８】
請求項１〜７のいずれか一項に記載の情報処理装置において、
前記制御部は、
向きを有する印を該印の向きが前記第一の方向に沿うように、前記中心に表示することを特徴とする情報処理装置。
【請求項９】
請求項１〜８のいずれか一項に記載の情報処理装置において、
地図情報を記憶する記憶部と、
前記地図情報を表示する表示部とをさらに備え、
前記制御部は、
前記第一乃至第三被写体位置領域のうち少なくとも１つに対応した図形を前記地図情報に対応させて、該地図情報とともに前記表示部に表示することを特徴とする情報処理装置。
【請求項１０】
請求項１〜９のいずれか一項に記載の情報処理装置において、
前記電子情報は静止画データであって、
前記本体情報は静止画データ本体であり、前記特性情報は前記静止画データ本体に関連付けられたヘッダ情報であることを特徴とする情報処理装置。
【請求項１１】
請求項１〜９のいずれか一項に記載の情報処理装置において、
前記電子情報は、所定の時間間隔をおいた複数の時刻に対応する複数の画像データを含む動画データであって、
前記本体情報は前記複数の画像データであり、前記特性情報は前記複数の画像データに対応した複数のヘッダ情報であり、
前記制御部は、
前記複数の画像データ及び前記複数のヘッダ情報に対応する複数の第一被写体位置領域を設定し、該複数の第一被写体位置領域に対応した複数の図形を、前記所定の時間間隔をおいて順次表示部に表示することを特徴とする情報処理装置。
【請求項１２】
請求項１１記載の情報処理装置において、
前記制御部は、
前記複数の第一被写体位置領域のうち一の第一被写体位置領域に、該一の第一被写体位置領域を除く領域とは異なる視覚効果を施して、前記一の第一被写体位置領域を、前記表示部に表示する一方で、
前記複数の第一被写体位置領域のうち他の第一被写体位置領域に、該他の第一被写体位置領域を除く領域とは異なる視覚効果を施して、前記他の第一被写体位置領域を、前記所定の時間経過後に、前記表示部に表示することを特徴とする情報処理装置。
【発明の詳細な説明】
【技術分野】
【０００１】
本発明は、情報処理装置に関する。
【背景技術】
【０００２】
従来、情報処理装置の１つとして、ＧＰＳから取得した位置情報を基に、画像撮影時におけるカメラ位置及び被写体の位置を地図上に点状に表示する撮影位置表示装置が開発されている（例えば特許文献１参照）。
【先行技術文献】
【特許文献】
【０００３】
【特許文献１】特開平９−１０１１４２号公報
【発明の概要】
【発明が解決しようとする課題】
【０００４】
ところで、画像を撮影する際、カメラの画角内にはメインの被写体だけでなくその他の被写体も含まれている。被写体位置を地図上に単に点で表示したとしても、撮影時の画角を表示できなかった。
このため、本発明の課題は、カメラによる撮影時の画角を表示可能な情報処理装置を提供することである。
【課題を解決するための手段】
【０００５】
以上の課題を解決するため、本発明の一の態様によれば、
本体情報と、該本体情報に関連付けられた複数の特性値を含む特性情報とを有する電子情報を処理し、該電子情報に基づいた図形を表示部に表示する制御部を備える情報処理装置であって、
前記特性情報は、
前記本体情報を撮影により取得した際の緯度経度に関する第一特性情報と、
前記撮影時の被写体までの距離、後方被写界深度、前方被写界深度及び画角を含む第二特性情報と、
前記撮影時の第一の方向に関する第三特性情報とを含み、
前記制御部は、
前記第一特性情報に対応する位置を中心とし、前記第二特性情報のうち画角に対応する角度を中心角とし、且つ、前記第三特性情報に対応する前記第一の方向を対称軸とする扇形領域のうち、
前記扇形領域の径方向における前記後方被写界深度と前記前方被写界深度との間に挟まれた領域を第一被写体位置領域に設定し、該第一被写体位置領域に対応した図形を、前記表示部に表示することを特徴とする情報処理装置が提供される。
【発明の効果】
【０００６】
本発明によれば、カメラによる撮影時の画角を表示可能な情報処理装置を提供することができる。
【図面の簡単な説明】
【０００７】
【図１】本実施形態に係る情報処理装置の一例であるデジタルカメラの主制御構成を示すブロック図である。
【図２】本実施形態に係るデジタルカメラで取得されるヘッダ情報の各値の関係を模式的に示す説明図である。
【図３】本実施形態に係るデジタルカメラの制御部で撮影時に実行される制御手順を示すフローチャートである。
【図４】本実施形態に係るデジタルカメラの制御部で画像表示時に実行される制御手順を示すフローチャートである。
【図５】本実施形態に係る表示部の全面に選択された静止画データに基づく画像が表示された一例を示す模式図である。
【図６】本実施形態に係る表示部の全面に表示された画像に対してターゲットマークが表示された一例を示す模式図である。
【図７】本実施形態に係る表示部に表示された地図画像に対して撮影位置マーク及び被写体位置マークが表示された一例を示す模式図である。
【図８】本実施形態に係る表示部に対し、撮影の範囲を地図画像上に表示した一例を示す模式図である。
【図９】本実施形態に係るヘッダ情報に第二方向情報が含まれている場合の表示の一例を示す模式図である。
【図１０】本実施形態に係るデジタルカメラで動画を撮影した場合、動画データをなす複数の画像データの一例を示す説明図である。
【図１１】本実施形態に係るデジタルカメラで動画データにおける位置情報を表示した場合の一例を示す模式図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は本実施形態に係る情報処理装置の一例であるデジタルカメラの主制御構成を示すブロック図である。デジタルカメラ１は、レンズ部２と、撮像部３と、記憶部４と、磁気計測部５と、位置情報取得部６と、入力部７と、表示部８と、制御部９とを備えている。
【００１０】
レンズ部２は複数のレンズから構成されていて、被写体に対する焦点が合うように各レンズ間距離が変動するようになっている。本明細書では、シャッターボタンが半押しされたときに焦点が合った領域を含む物体のことを被写体という。撮影された画像には、通常被写体以外のものすなわち背景や焦点が合っていない物体も写っているが、これらのものは本明細書における被写体には含まないものとする。
撮像部３は例えばＣＣＤやＣＭＯＳ等の撮像素子を備えており、レンズ部２を透過して撮像素子に入射した光の像に対応した電子信号を出力するものである。
記憶部４は撮像部３から出力された電気信号に基づいて制御部９で生成された画像データを記憶するものである。また、記憶部４には、例えば日本国内等の特定の範囲の地図を形成するための地図情報が記憶されている。
磁気計測部５は地磁気に基づいてレンズ部２が向いている方向を含む方向情報を取得するものである。
位置情報取得部６はＧＰＳアンテナを備えており、このＧＰＳアンテナからデジタルカメラ１の緯度経度を含む位置情報を取得する。
入力部７はシャッターボタン等の操作ボタン及びタッチパネルを備えており、各種指示が入力される。
表示部８は例えば液晶モニタであり、撮像部３に映った画像や操作メニュー等を表示するものである。
【００１１】
制御部９には、レンズ部２、撮像部３、記憶部４、磁気計測部５、位置情報取得部６、入力部７及び表示部８といったデジタルカメラ１の構成要素が電気的に接続されている。制御部９は、ＣＰＵ（中央演算装置）と、メモリとを有して構成され、デジタルカメラ１の各構成要素を制御する。メモリは、デジタルカメラ１の各構成要素を制御するためのプログラムを記憶している。ＣＰＵは、メモリに格納されたプログラムに基づいて演算を行ない、この演算結果に基づいて各構成要素に制御信号を送信する。
【００１２】
ここで、制御部９は撮影によって静止画である画像データ（電子情報）を生成する。この画像データには、静止画である画像データ本体（本体情報）と、画像データ本体に関連付けられたヘッダ情報（特性情報）とが含まれている。
【００１３】
画像データ本体は、撮影後、撮像部３から出力された電気信号に基づいて制御部９で生成された画像データのことである。
ヘッダ情報には、撮影時における焦点距離ｆ、絞り値Ｆ、許容散乱円径δ、位置情報、方向情報、撮像部３の素子長さｌ等が含まれている。また、このヘッダ情報には、前述の各パラメータから制御部９が算出した種々の情報も含まれている。図２はヘッダ情報の各値の関係を模式的に示す説明図である。この図２に示す関係を基にすると、画角θは式（１）、被写体距離Ｌは式（２）、前方被写界深度ＬＦは式（３）、後方被写界深度ＬＲは式（４）で求められる。
【００１４】
θ＝ｔａｎ−１（ｌ／２ｆ）・・・（１）
Ｌ＝ｆ２／（Ｆδ）・・・（２）
ＬＦ＝Ｌ２Ｆδ／（ｆ２＋Ｌｆδ）・・・（３）
ＬＲ＝Ｌ２Ｆδ／（ｆ２−Ｌｆδ）・・・（４）
【００１５】
ここで、ヘッダ情報のうち、位置情報は、画像データ本体を撮影により取得した際の緯度経度に関する第一特性情報である。また、ヘッダ情報のうち、被写体距離Ｌ、前方被写界深度ＬＦ、後方被写界深度ＬＲ及び画角θは、焦点距離ｆに関する第二特性情報である。なお、方向情報には、シャッターボタンが半押しされ被写体に焦点が合ったときのレンズ部２の方向（第一の方向）を示す第一方向情報と、シャッターボタンが半押しされ被写体に焦点が合った状態で第一の方向からレンズ部２をずらし、シャッターボタンが切られた際の方向（第二の方向）を示す第二方向情報とが含まれている。この第一方向情報が第一の方向に関する第三特性情報であり、第二方向情報が第二の方向に関する第四特性情報である。
【００１６】
次に、本実施形態の作用について説明する。
まず撮影時における作用について説明する。図３は撮影時の流れを示すフローチャートである。
撮影の開始時においては、制御部９は、入力部７のシャッターボタンが半押しされたか否かを判断する（ステップＳ１）。制御部９はシャッターボタンが半押しされてない場合にはそのままの状態で待機し、半押しされている場合にはステップＳ２に移行する。
【００１７】
ステップＳ２では、制御部９はレンズ部２を制御して被写体に焦点を合わせる。
ステップＳ３では、制御部９は焦点が合ったときの第一方向情報、絞り値、焦点距離をヘッダ情報として記憶する。
ステップＳ４では、制御部９はシャッターボタンが全押しされたか否かを判断する。制御部９はシャッターボタンが全押しされていない場合にはステップＳ１に移行し、シャッターボタンが全押しされた場合にはステップＳ５に移行する。
【００１８】
ステップＳ５では、制御部９はシャッターボタンが全押しされた際に撮像部３から出力された電気信号に基づいて画像データを生成し、当該画像データを画像データ本体としてメモリに記憶する。
ステップＳ６では、制御部９はシャッターボタンが全押しされたときの磁気計測部５の計測値が第一方向情報と異なっていたか否かを判断する。磁気計測部５の計測値が第一方向情報と同じ場合には、制御部９はステップＳ８に移行する。磁気計測部５の計測値が第一方向情報と異なる場合、つまりシャッターボタンが半押しされ被写体に焦点が合った状態で、第一の方向からレンズ部２がずらされた場合は、制御部９はステップＳ７に移行する。
ステップＳ７では、制御部９は撮影時の磁気計測部５の計測結果を第二の方向とし、第二方向情報をメモリに記憶する。
ステップＳ８では、制御部９は撮影時に位置情報取得部６から出力された緯度経度を位置情報としてメモリに記憶する。
【００１９】
ステップＳ９では、制御部９は画角θ、被写体距離Ｌ、前方被写界深度ＬＦ、後方被写界深度ＬＲを算出し、それらの算出結果をメモリに記憶する。
ステップＳ１０では、制御部９はシャッターボタンが解除されたか否かを判断し、解除されていない場合はそのまま待機し、解除された場合は撮影終了とする。
撮影終了後においては、制御部９は画像データ本体とヘッダ情報とを関連付け静止画である画像データとして記憶部４に記憶する。
【００２０】
次に、まず画像表示時における作用について説明する。図４は画像表示時の流れを示すフローチャートである。
画像表示が開始されると、制御部９は入力部７からの操作によって選択された画像を表示画像として認識する（ステップＳ２１）。この画像選択時においては、記憶部４に記憶された静止画である画像データに基づいて、画像データ本体が一覧で表示部８に表示されており、ユーザが入力部７を操作することにより任意の静止画である画像データを選択するようになっている。
【００２１】
ステップＳ２２では、制御部９は選択された静止画である画像データに基づく画像を表示部８の全面に表示する。図５は表示部８の全面に選択された静止画である画像データに基づく画像Ｇが表示された一例を示す模式図である。
ステップＳ２３では、制御部９は入力部７に位置表示確認指示が入力されたか否かを判断し、入力されていない場合にはステップＳ３２に移行し、入力されている場合にはステップＳ２４に移行する。
【００２２】
ステップＳ２４では、制御部９は静止画である画像データからヘッダ情報を読み出す。
ステップＳ２５では、制御部９表示された画像Ｇ中に焦点の合っている被写体の位置を、ヘッダ情報に基づいて検出し、その検出された位置に対してターゲットマークを表示する。図６は表示部８の全面に表示された画像Ｇに対してターゲットマークＨが表示された一例を示す模式図である。
【００２３】
ステップＳ２６では、制御部９はヘッダ情報内の位置情報に基づいた地図情報を記憶部４から読み出す。
ステップＳ２７では、制御部９は読み出した地図情報に基づく地図画像を所定の縮尺で表示部８の全画面に表示する。
【００２４】
ステップＳ２８では、制御部９は位置情報から撮影位置を特定するともに、第一方向情報及び被写体距離から被写体位置を特定し、撮影位置に対しては撮影位置マークＭ１を、被写体位置に対しては被写体位置マークＭ２を地図画像上に表示させる。図７は、表示部８に表示された地図画像Ｇ１に対して撮影位置マークＭ１及び被写体位置マークＭ２が表示された一例を示す模式図である。ここで撮影位置マークＭ１は円形とし、その内部に方向を示す矢印Ｙが設けられている。この矢印Ｙは撮影位置から第一の方向に沿うように記されている。また、被写体位置マークＭ２は二重円形としている。この被写体位置マークＭ２が第三被写体位置領域となる。
【００２５】
また、制御部９は、撮影位置マークＭ１及び被写体位置マークＭ２の表示に関連して、撮影の範囲をある程度視認できるような表示を地図画像Ｇ１上に表示する。図８は、撮影の範囲を地図画像Ｇ１上に表示した一例を示す模式図である。図８に示すように、制御部９は、撮影位置を中心として、画角θに対応する角度を中心角とし、撮影位置から第一の方向を対称軸とする扇形領域Ｖに対応する図形を地図画像Ｇ１上に表示する。そして、制御部９は、扇形領域Ｖの径方向における前方被写界深度ＬＦと後方被写界深度ＬＲとに挟まれた領域を第一被写体位置領域Ｖ１として、該第一被写体位置領域Ｖ１に対応した図形を、該図形に視覚効果を施して、地図画像Ｇ１上に表示する。さらに、制御部９は、扇形領域Ｖの径方向における被写体距離Ｌの近傍の被写体近傍領域ＶＬに対しては第一被写体位置領域Ｖ１とは異なる視覚効果を施して地図画像Ｇ１上に表示する。図８では、第一被写体位置領域Ｖ１に対しては粗い網掛け模様を表示し、被写体近傍領域ＶＬに対しては密な網掛け模様を表示している。
なお、これに加えて、扇形領域Ｖのうち、該扇形領域Ｖの径方向において、後方被写界深度ＬＲよりも遠い領域を第二被写体位置領域Ｖ２に設定し、第一被写体位置領域Ｖ１及び第二被写体位置領域Ｖ２に対応した複数の図形を、該複数の図形に視覚効果を施すとともに、第一被写体位置領域Ｖ１及び第二被写体位置領域Ｖ２のうち一方の領域に対応した図形に、他方の領域に対応した図形に施した視覚領域とは異なる視覚効果を施すことも可能である。
【００２６】
また、ヘッダ情報に第二方向情報が含まれている場合には、制御部９は、第一の方向に対して第二の方向が異なる角度Δθだけ扇形領域Ｖを、撮影位置を中心に回転させて表示する。すなわち、撮影位置を中心とし、画角θに対応する角度を中心角とし、且つ、撮影位置から第二の方向を対称軸とする領域を、扇形領域Ｖとして、該扇形領域Ｖに対応した図形を、該図形に視覚効果を施して、地図画像Ｇ１上に表示する。図９は、ヘッダ情報に第二方向情報が含まれている場合の表示の一例を示す模式図である。このとき、図９に示すように、制御部９は被写体位置マークＭ２を回転前の位置のままに表示し、回転前の扇形領域Ｖ３を二点鎖線で地図画像Ｇ１上に表示している。
つまり、制御部９は、第一乃至第三被写体位置領域に対応した図形を、該複数の図形に視覚効果を施すとともに、第一乃至第三被写体位置領域のうちいずれか１つである第一効果付与領域に対応した図形を、残りの被写体位置領域に対応した図形に施した視覚効果とは異なる視覚効果を施して、表示部８に表示している。
【００２７】
ステップＳ２９では、制御部９は、地図の縮尺や中心を変更する指示が入力部７に入力されたか否かを判断し、入力されていない場合にはステップＳ３２に移行し、入力されている場合はステップＳ３０に移行する。
ステップＳ３０では、制御部９は、地図の縮尺や中心を変更して地図画像Ｇ１を表示部８に表示する。
ステップＳ３１では、制御部９は、縮尺や中心が変更された地図画像Ｇ１に追従するように撮影位置及び被写体位置を表示部８に表示する。
ステップＳ３２では、制御部９は、入力部７に画像表示終了の指示が入力されたか否かを判断し、入力された場合には画像表示を終了し、入力されていない場合にはステップＳ３３に移行する。
ステップＳ３３では、制御部９は入力部７からの操作によって選択された画像を次の表示画像として認識し、ステップＳ２２に移行する。
【００２８】
以上のように、本実施形態によれば、位置情報に対応する位置を中心とし、画角θに対応する角度を中心角とし、且つ、第一の方向を対称軸とする扇形領域Ｖのうち、扇形領域Ｖの径方向における後方被写界深度ＬＲと前方被写界深度ＬＦとの間に挟まれた領域を第一被写体位置領域Ｖ１に設定しているので、地図画像Ｇ１上に扇形領域Ｖ及び第一被写体位置領域Ｖ１を重ねて表示することができ、デジタルカメラ１による撮影時の画角θを表示可能にすることができる。
【００２９】
また、第一被写体位置領域Ｖ１に対応した図形を、該図形に視覚効果を施して表示部８に表示しているので、後方被写界深度ＬＲから前方被写界深度ＬＦまでの領域を表示することができる。
また、第一被写体位置領域Ｖ１及び第二被写体位置領域Ｖ２に対応した複数の図形を、該複数の図形に視覚効果を施すとともに、第一被写体位置領域Ｖ１及び第二被写体位置領域Ｖ２のうち一方の領域に対応した図形を、他方の領域に対応した図形に施した視覚効果とは異なる視覚効果を施して表示部８に表示しているので、第一被写体位置領域Ｖ１及び第二被写体位置領域Ｖ２とを区別して表示することができる。
また、撮影位置を中心とし、画角θに対応する角度を中心角とし、且つ、撮影位置から第二の方向を対称軸とする領域を、扇形領域Ｖとして、該扇形領域Ｖに対応した図形を、該図形に視覚効果を施して、地図画像Ｇ１上に表示しているので、シャッターボタンを半押しして被写体に焦点を合わせたときのデジタルカメラ１の方向と、シャッターボタンを全押しして撮影を行ったときのデジタルカメラ１の方向とがずれていても、デジタルカメラ１による撮影時の画角θを表示可能することができる。
また、扇形領域Ｖ内に、該扇形領域Ｖの中心から第一の方向に被写体までの距離だけ移動した点を中心とする円形の領域（被写体位置マークＭ２）を表示しているので、被写体の位置を表示することができる。
【００３０】
また、扇形領域Ｖの中心、すなわち位置情報に基づく位置に、撮影位置マークＭ１が表示され、その撮影位置マークＭ１の内部に方向を示す矢印Ｙが第一の方向に沿うように記されているので、撮影位置から被写体までの方向を表示することができる。
また、第一乃至第三被写体位置領域のうち少なくとも１つに対応した図形を地図情報に対応させて、該地図情報に基づく地図画像Ｇ１とともに表示部８に表示しているので、撮影位置、被写体位置を具体的に示すことができる。
【００３１】
なお、本発明は上記実施形態に限らず適宜変更可能である。
例えば、本実施形態では情報処理装置としてデジタルカメラ１を例示して説明したが、情報処理装置としてはこれ以外にも携帯電話、タブレット式情報端末、電子辞書、ＰＣ、ＰＤＡ、携帯ゲーム機器等が挙げられる。
【００３２】
また、上記実施形態では静止画である画像データの被写体位置及び撮影位置を表示する場合を例示して説明したが、動画データに対しても被写体位置及び撮影位置を表示することも可能である。この場合、電子情報の本体情報は、所定の時間間隔をおいた複数の時刻に対応する複数の画像データを含む動画データであり、電子情報の特性情報は、複数の画像データのそれぞれに対応した複数のヘッダ情報である。
例えば、左から右へと駆ける犬を、撮影位置を固定してデジタルカメラ１で撮影した場合、動画データをなす複数の画像データは図１０に示すような画像となる。図１０においては（ａ）、（ｂ）、（ｃ）、（ｄ）という順に左から右に流れている。各画像データには、ヘッダ情報が関連付けて記憶されているため、制御部９は、画像データ毎に第一被写体位置領域Ｖ１を設定している。
この動画データの位置表示時においては、制御部９は、画像データ毎のヘッダ情報から扇形領域Ｖ、第一被写体位置領域Ｖ１、第二被写体位置領域Ｖ２、被写体近傍領域ＶＬ、撮影位置マークＭ１、被写体位置マークＭ２を設定し、表示部８に表示する。すなわち、制御部９は、複数の第一被写体位置領域Ｖ１のうち一の第一被写体位置領域Ｖ１に、該一の第一被写体位置領域Ｖ１を除く領域とは異なる視覚効果を施して、前記一の第一被写体位置領域Ｖ１を表示部８に表示する一方で、複数の第一被写体位置領域Ｖ１のうち他の第一被写体位置領域Ｖ１に、該他の第一被写体位置領域Ｖ１を除く領域とは異なる視覚効果を施して、他の第一被写体位置領域Ｖ１を、所定の時間経過後に表示部８に表示している。
図１１は動画データにおける位置情報の表示例を示す模式図であり、（ａ）、（ｂ）、（ｃ）、（ｄ）という時系列で表示が切り替わった場合を示している。この図１１に示すように、被写体位置の移動、この場合は犬の移動に連動して被写体位置マークＭ２、第一被写体位置領域Ｖ１、第二被写体位置領域Ｖ２、被写体近傍領域ＶＬが移動するので、地図画像Ｇ１上で被写体の移動経路も示すことができる。
【００３３】
なお、デジタルカメラ１を移動させながら撮影した場合においては、その移動によってヘッダ情報の各値も変動することになる。この場合、図１１の例とは異なり、画像データ毎に扇形領域Ｖ、第一被写体位置領域Ｖ１、第二被写体位置領域Ｖ２、被写体近傍領域ＶＬ、撮影位置マークＭ１、被写体位置マークＭ２も変動することになる。制御部９は、各画像データのヘッダ情報に対応するように、画像データ毎に扇形領域Ｖ、第一被写体位置領域Ｖ１、第二被写体位置領域Ｖ２、被写体近傍領域ＶＬ、撮影位置マークＭ１、被写体位置マークＭ２を所定時間間隔おいて順次表示部８に表示する。
【００３４】
このように、動画データにおいても、複数の第一被写体位置領域Ｖ１に対応した複数の図形を、所定の時間間隔をおいて順次表示部８に表示しているので、動画撮影時におけるデジタルカメラ１の画角θを表示することができる。
【００３５】
本発明のいくつかの実施形態を説明したが、本発明の技術的範囲には特許請求の範囲に記載された発明とその均等の範囲が含まれる。
以下に、本願出願の当初の特許請求の範囲に記載された発明を付記する。
【００３６】
〔付記〕
［請求項１］
本体情報と、該本体情報に関連付けられた複数の特性値を含む特性情報とを有する電子情報を処理し、該電子情報に基づいた図形を表示部に表示する制御部を備える情報処理装置であって、
前記特性情報は、
前記本体情報を撮影により取得した際の緯度経度に関する第一特性情報と、
前記撮影時の被写体までの距離、後方被写界深度、前方被写界深度及び画角を含む第二特性情報と、
前記撮影時の第一の方向に関する第三特性情報とを含み、
前記制御部は、
前記第一特性情報に対応する位置を中心とし、前記第二特性情報のうち画角に対応する角度を中心角とし、且つ、前記第三特性情報に対応する前記第一の方向を対称軸とする扇形領域のうち、
前記扇形領域の径方向における前記後方被写界深度と前記前方被写界深度との間に挟まれた領域を第一被写体位置領域に設定し、該第一被写体位置領域に対応した図形を、前記表示部に表示することを特徴とする情報処理装置。
［請求項２］
請求項１記載の情報処理装置において、
前記制御部は、
前記第一被写体位置領域に対応した前記図形を、該図形に視覚効果を施して、前記表示部に表示することを特徴とする情報処理装置。
［請求項３］
請求項２記載の情報処理装置において、
前記制御部は、
前記扇形領域のうち、該扇形領域の径方向において、前記後方被写界深度よりも遠い領域を第二被写体位置領域に設定し、該第二被写体位置領域に対応した図形を、前記表示部に表示することを特徴とする情報処理装置。
［請求項４］
請求項３記載の情報処理装置において、
前記制御部は、
前記第一被写体位置領域及び第二被写体位置領域に対応した複数の図形を、該複数の図形に視覚効果を施すとともに、前記第一被写体位置領域及び前記第二被写体位置領域のうち一方の領域に対応した図形に、他方の領域に対応した図形に施した視覚効果とは異なる視覚効果を施して、前記表示部に表示することを特徴とする情報処理装置。
［請求項５］
請求項３又は４記載の情報処理装置において、
前記特性情報は、
前記第一の方向とは異なる第二の方向に関する第四特性情報をさらに含み、
前記制御部は、
前記第一特性情報に対応する位置を中心とし、前記第二特性情報のうち画角に対応する角度を中心角とし、且つ、前記第四特性情報に対応する前記第二の方向を対称軸とする領域を、前記扇形領域として設定することを特徴とする情報処理装置。
［請求項６］
請求項３〜５のいずれか一項に記載の情報処理装置において、
前記制御部は、
前記扇形領域のうち該扇形領域の中心から前記第一の方向に前記被写体までの距離だけ移動した点を中心とする円形の領域を第三被写体位置領域に設定し、該第三被写体位置領域に対応した図形を、前記表示部に表示することを特徴とする情報処理装置。
［請求項７］
請求項５又は６記載の情報処理装置において、
前記制御部は、
前記第一乃至第三被写体位置領域に対応した図形を、該複数の図形に視覚効果を施すとともに、前記第一乃至第三被写体位置領域のうちいずれか１つである第一効果付与領域に対応した図形に、残りの被写体位置領域に対応した図形に施した視覚効果とは異なる視覚効果を施して、前記表示部に表示することを特徴とする情報処理装置。
［請求項８］
請求項１〜７のいずれか一項に記載の情報処理装置において、
前記制御部は、
向きを有する印を該印の向きが前記第一の方向に沿うように、前記中心に表示することを特徴とする情報処理装置。
［請求項９］
請求項１〜８のいずれか一項に記載の情報処理装置において、
地図情報を記憶する記憶部と、
前記地図情報を表示する表示部とをさらに備え、
前記制御部は、
前記第一乃至第三被写体位置領域のうち少なくとも１つに対応した図形を前記地図情報に対応させて、該地図情報とともに前記表示部に表示することを特徴とする情報処理装置。
［請求項１０］
請求項１〜９のいずれか一項に記載の情報処理装置において、
前記電子情報は静止画データであって、
前記本体情報は静止画データ本体であり、前記特性情報は前記静止画データ本体に関連付けられたヘッダ情報であることを特徴とする情報処理装置。
［請求項１１］
請求項１〜９のいずれか一項に記載の情報処理装置において、
前記電子情報は、所定の時間間隔をおいた複数の時刻に対応する複数の画像データを含む動画データであって、
前記本体情報は前記複数の画像データであり、前記特性情報は前記複数の画像データに対応した複数のヘッダ情報であり、
前記制御部は、
前記複数の画像データ及び前記複数のヘッダ情報に対応する複数の第一被写体位置領域を設定し、該複数の第一被写体位置領域に対応した複数の図形を、前記所定の時間間隔をおいて順次表示部に表示することを特徴とする情報処理装置。
［請求項１２］
請求項１１記載の情報処理装置において、
前記制御部は、
前記複数の第一被写体位置領域のうち一の第一被写体位置領域に、該一の第一被写体位置領域を除く領域とは異なる視覚効果を施して、前記一の第一被写体位置領域を、前記表示部に表示する一方で、
前記複数の第一被写体位置領域のうち他の第一被写体位置領域に、該他の第一被写体位置領域を除く領域とは異なる視覚効果を施して、前記他の第一被写体位置領域を、前記所定の時間経過後に、前記表示部に表示することを特徴とする情報処理装置。
【符号の説明】
【００３７】
１      デジタルカメラ（情報処理装置）
２      レンズ部
３      撮像部
４      記憶部
５      磁気計測部
６      位置情報取得部
７      入力部
８      表示部
９      制御部
Ｍ１      撮影位置マーク
Ｍ２      被写体位置マーク
Ｖ      扇形領域
Ｖ１      第一被写体位置領域
Ｖ２      第二被写体位置領域
ＶＬ      被写体近傍領域
Ｙ      矢印（印）
【図１】
2012247887.tif 000003
【図２】
2012247887.tif 000004
【図３】
2012247887.tif 000005
【図４】
2012247887.tif 000006
【図５】
2012247887.tif 000007
【図６】
2012247887.tif 000008
【図７】
2012247887.tif 000009
【図８】
2012247887.tif 000010
【図９】
2012247887.tif 000011
【図１０】
2012247887.tif 000012
【図１１】
2012247887.tif 000013